【手続補正書】
【提出日】平成17年2月7日(2005.2.7)
【手続補正１】
【補正対象書類名】明細書
【補正対象項目名】全文
【補正方法】変更
【補正の内容】
【書類名】        明細書
【発明の名称】    スノーボード用レール
【特許請求の範囲】
【請求項１】  スノーボードで滑走するためのスノーボード用レールであって、
スノーボードが滑走する滑走用レールと、該滑走用レールを上縁に支える主レールと、を含むスノーボード用レール。
【請求項２】  前記主レールが樹脂で形成されている請求項１に記載するスノーボード用レール。
【請求項３】  前記主レールに滑走用レールを複数本並列に配置した請求項１または請求項２に記載するスノーボード用レール。
【請求項４】  前記主レールに溝が設けられ、該溝に滑走用レールがはめ込まれている請求項１乃至請求項３のいずれかに記載するスノーボード用レール。
【請求項５】  前記主レールの高さを調節する手段を設けた請求項１乃至請求項４のいずれかに記載するスノーボード用レール。
【発明の詳細な説明】
【０００１】
【発明の属する技術分野】
本発明は、スノーボードで滑走するためのスノーボード用レールに関する。
【０００２】
【従来の技術】
スキー場においてスノーボードで滑走するために、ゲレンデかハーフパイプと呼ばれる断面Ｕ字型のコースが使用される。
【０００３】
スノーボーダーは、雪上だけでなく障害物をコースに見立てて、その障害物を滑る場合がある。その１つとして、米国などの一部のスノーボーダーがパイプで形成されたレール上を滑走する競技をおこなっている。
【０００４】
【発明が解決しようとする課題】
レールは、金属製の円柱パイプを使用するため、レールとスノーボードとの接触面が極端に狭い。バランスを取るのが難しく、上級者でなければレール上を滑走するのは難しい。
【０００５】
また、スキー場にレールを設置するときに、金属製のパイプであれば、相当な重さになり、持ち運びに苦労する。
【０００６】
本発明の目的は、コース設営が簡単にでき、初心者でも滑走ができるスノーボード用レールを提供することにある。
【０００７】
【課題を解決するための手段】
本発明のスノーボード用レールの要旨は、スノーボードが滑走する滑走用レールと、該滑走用レールを上縁に支える主レールと、を含むことにある。主レールの上端に設けられた滑走用レールをスノーボーダーが滑走することができる。
【０００８】
また、本発明は、前記主レールが樹脂で形成されていることを特徴とする。
【０００９】
また、本発明は、前記主レールに滑走用レールを複数本並列に配置したことを特徴とする。
【００１０】
また、本発明は、前記主レールに溝が設けられ、該溝に滑走用レールがはめ込まれていることを特徴とする。
【００１１】
また、本発明は、前記主レールの高さを調節する手段を設けたことを特徴とする。
【００１２】
【発明の実施の形態】
本発明に係るスノーボード用レールの実施の形態について、図面を使用して説明する。
【００１３】
図１に示すように、スノーボード用レール１０は、主レール１２と滑走用レール１４が含まれる。主レール１２は、樹脂で形成されている。樹脂で形成されているため、スノーボード用レール１０の設営地までの持ち運びが楽である。樹脂は、アクリル樹脂などである。また、樹脂としては、発泡樹脂（発泡ウレタン）などを含み、人が乗っても大丈夫なものを使用する。
【００１４】
主レール１２の断面は、円弧状になっている。円弧は半円の一部であり、円弧のカーブは従来の円柱パイプと比較して緩やかになっている。例えば、曲率半径は、３０ｃｍから１ｍである。
【００１５】
主レール１２の上端には滑走用レール１４が設けられる。つまり、主レール１２によって滑走用レール１４を支えている。滑走用レール１４は鋼材で構成される。これは、樹脂と比較して、鋼材の方がスノーボードとの摩擦が少なく、滑走に適しているからである。また、スノーボードのエッジで樹脂を削ってしまい、主レール１２が傷つけられるためである。さらに、鋼材の滑走用レール１４によってスノーボード用レール１０の強度を上げている。
【００１６】
鋼材は、錆びにくいもの、または、防錆処理を施されたものが好ましい。例えば、ステンレスを使用したり、鋼材に亜鉛めっきを施す。これは、スノーボード用レール１０が、スキー場などの屋外に設営され、雪によって濡れるためである。滑走用レール１４が錆びてしまうと、スノーボードとレール１４との摩擦が大きくなり、滑走ができなくなるためである。
【００１７】
滑走用レール１４は、主レール１２の上端に加えて、他の位置に設けても良い。例えば、図２に示すように、主レール１２の上面に平行して設ける。スノーボード用レール１０が側方へカーブする位置で、上縁以外の位置に設けられた滑走用レール１４上を滑走することができる。
【００１８】
主レール１２に溝１６が設けられ、その溝１６に滑走用レール１４がはめ込まれている。主レール１２と滑走用レール１４とを面一にすることによって、滑りやすくなっている。溝１６の形状は、滑走用レール１４の形状に合わせる。主レール１２と滑走用レール１４との隙間をなくす。溝１６は、主レール１２を樹脂成形するときに設けてもよいし、主レール１２の形成後、溝を掘って設けてもよい。また、樹脂成形するときに溝１６を設ける場合、滑走用レール１４も一体に成型してもよい。
【００１９】
溝１６の形状は、溝１６の開放面よりも底面を広くすることによって、滑走用レール１４が主レール１２よりはずれるのを防止する。または、開放面と底面の広さを同じにしても良い。滑走用レール１４にねじ穴、溝１６に穴を設け、ボルトによって主レール１２と滑走用レール１４とを固定してもよい。
【００２０】
主レール１２は、雪面から任意の高さに設ける。スノーボード用レール１０は、主レール１２を任意の高さに設けるための手段を含む。その手段は、図３に示すように、主レール１２に取り付けられる支持手段１８を含む。支持手段１８は、パイプ状体２２の一端にコの字型の部材２０が設けられたものである。主レール１２の両端に溝を設け、コの字型の部材２０の端部がその溝にはまりこむようにする。したがって、コの字型の部材２０が主レール１２からはみ出すことはなく、スノーボード用レール１０から転落時に、コの字型の部材２０に引っかかってけがをすることはない。
【００２１】
コの字型の部材２０の両端には穴が設けられている。主レール１２の円弧の端部に穴を設けておく。両方の穴を一致させ、ボルトとナットで固定することによって、支持手段１８と主レール１２とを固定する。
【００２２】
支持手段１８を設置するための設置手段２４を含む。設置手段２４は、中が空洞のパイプ状体で構成する。設置手段２４は、地面に突き刺したり埋め込んだりするため、一端を円錐形状にする。他端は、開放にする。また、他端付近に穴２８を設ける。支持手段１８のパイプ状体にも穴２６を設ける。両方の穴２６，２８を一致させ、ボルトとナットで固定することによって、支持手段１８と設置手段２４とを固定する。支持手段１８の穴２６を複数にすることによって、自由に主レール１２の高さをかえることができる。すなわち、支持手段１８と設置手段２４とによって、主レール１２の高さを調節する手段となっている。
【００２３】
設置手段２４は、杭とほぼ同じ形状になっているため、ハンマーなどで打ち付けることによって、地面に突き刺すことができる。また、図４に示すように、パイプ状体の一端の円錐に螺旋状体３０を設け、他端に棒状体３２を設けても良い。一端がドリル形状になっている。棒状体３２を持って、パイプ状体を地面に押し込みながら回転させることによって、パイプ状体を地面に突き刺すことができる。
【００２４】
支持手段１８および設置手段２４は、主レール１２などを支えるため、鋼材で構成するのが好ましい。鋼材は、錆びにくいものまたは防錆処理を施されたものである。
【００２５】
主レール１２および滑走用レール１４を複数つなぎ合わせることによって、スノーボード用レール１０は連続して滑走できる距離が長くなる。主レール１２の端部に穴を設ける。図５に示すように、両端に穴を有する板状の継ぎ手金具３４を用意する。主レール１２の穴と継ぎ手金具３４の穴とを一致させ、ボルト３６とナットによって主レール１２と継ぎ手金具３４とを固定する。主レール１２同士を隙間無くつなぎ合わせることによって、スノーボードでスムーズに滑走することができる。また、継ぎ手金具３４によって主レール１２同士を固定しているので、長期の使用による主レール１２同士のずれが発生する恐れはない。
【００２６】
主レール１２に継ぎ手金具３４がはまりこむ凹部を設ける。凹部の中に継ぎ手金具３４が入るため、主レール１２に対して継ぎ手金具３４が出っ張ることはない。したがって、スノーボード用レール１０から転落時に継ぎ手金具３４に引っかかって負傷することはない。なお、ボルト３６の頭には樹脂のカバーをする。または、継ぎ手金具３４とボルト３６を一体に形成し、ボルト３６の頭が継ぎ手金具３４から突出しないようにする。
【００２７】
スノーボード用レール１０の設置は、スキー場に設置手段２４を配置する。設置手段２４の一端が円錐になっているため、他端をハンマーでたたいて地面に突き刺す。地面に突き刺さった設置手段２４に支持手段１８を挿入する。設置手段２４および支持手段１８の穴２６，２８をあわせてボルトとナットで固定し、支持手段１８の高さを調節する。支持手段１８と主レール１２との穴をあわせてボルトとナットで固定することによって、スノーボード用レール１０の設置が完了する。なお、滑走用レール１４は、予め主レール１２に固定しておく。長距離のスノーボード用レール１０を設置する場合、主レール１２同士が接続されるようにして、上記の工程を繰り返す。
【００２８】
以上のようなスノーボード用レール１０を使用することによって、主レール１２の断面がカーブの緩い円弧になっているため、スノーボードと滑走用レール１４との接触面が広く、初心者でも滑走が可能である。また、主レール１２を樹脂で構成することによって、持ち運びが楽であり、スノーボード用レール１０の設置が容易にできる。
【００２９】
以上、本発明の実施の形態について説明したが、本発明は上記の実施形態に限定されることはない。例えば、主レール１２の断面の形状は円弧状に限定されない。例えば、図６（ａ），（ｂ）に示すように、楕円形や多角形でも良い。円形や半円形以外で、スノーボードと滑走用レール１４との接触面が広くなるものを主レール１２として使用する。したがって、初心者でも滑走することができる。多角形の場合、平面上をスノーボードで滑走する。また、角を丸めておくことによって、けがを防止する。
【００３０】
また、スノーボード用レール１０を並列に並べて設置しても良い。２本の滑走用レール１４上をスノーボードで滑走するので、バランス感覚を必要としない簡易なコース設計ができる。
【００３１】
主レール１２は継ぎ手金具３４で接続したが、図７に示すように、重ね合わせても良い。上になる方の主レール１２の端部をテーパー状にしておく。主レール１２同士の段差を軽減し、滑走しやすくしている。また、主レール１２を重ね合わせているだけであるので、スノーボード用レール１０の設置の際に、支持手段１８や設置手段２４の設置位置が所定位置よりずれても、主レール１２を設置することができる。主レール１２の端部付近に複数の穴を設け、その穴のあうところでボルトとナットを使って、主レール同士を固定してもよい。
【００３２】
支持手段１８の任意の位置に角度を調節するための機構を設けても良い。図８のような球体のボール４０、そのボール４０の半分から２／３の表面を覆う半球形の殻部材４２を設ける。ボール４０および殻部材４２はパイプ状体３８の一端に設けられている。２つの殻部材４２が対をなしており、ねじ（図示せず）によって連続されている。ねじをゆるめると、殻部材４２はボール４０から弛み、パイプ状体３８同士の角度を自由に変えられる。ねじを締めると、殻部材４２でボール４０を締め付けるので、ボール４０が固定される。殻部材４２をゆるめてパイプ状体３８同士の角度を所望の角度にし、その後、殻部材４２でボール４０を締め付けることによって、ボール４０が固定され、パイプ状体３８同士の角度を固定することができる。
【００３３】
図８では、パイプ状体３８に殻部材４２とボール４０を設けたが、図３に示す、パイプ状体２２とコの字型の部材２０に殻部材４２とボール４０を設けてもよい。
【００３４】
図８に示す以外に、他の機構によって、角度を調節してもよい。図９に示すように、殻部材４２をパイプ状体３８で覆う。殻部材４２同士の隙間をパイプ状体３８と一体に形成する。パイプ状体３８に穴を設け、その穴にボルト４４を通し、ボルト４４とナット４６でパイプ状体３８を締め付ける。殻部材４２がボール４０を締め付けることになり、殻部材４２とボール４０を固定することができる。
【００３５】
また、図１０（ａ），（ｂ）に示すように、パイプ状体３８の端部の半円形状体５０を用いて角度を調節してもよい。半円形状体５０の中心に穴を設け、その穴にボルト５２を通し、ボルト５２とナット５１で２枚の半円形状体５０を締め付けることによって、２本のパイプ状体３８の角度を固定することができる。ボルト５２をゆるめると、自由に角度を調節することができる。
【００３６】
半円形状体５０の代わりにパイプ状体３８の端部に円盤を設け、円盤同士を締め付けたりゆるめたりして、角度を調節する構成であってもよい。
【００３７】
ボールや円盤による角度調節機構によって、支持部材の角度が自由に調整できるが、この角度調節機構の数は、１個に限定されない。パイプ状体とコの字型の部材の間や、パイプ状体を分割して設ける。スノーボード用レール１０のコース設計にあわせて、角度調節機構の数を変更する。
【００３８】
主レール１２および滑走用レール１４は、直線以外に側方に向けてカーブさせたものでも良い。
【００３９】
スノーボード用レール１０はスキー場に設置されるため、スノーボーダーやスキーヤーがスノーボード用レール１０に衝突しても安全なように、支持手段１８にクッションを巻き付けても良い。また、このクッションは、スノーボーダーがスノーボード用レール１０からの転落時にけがを防止する役目も果たす。その他、スノーボード用レール１０において、ボルトなどの出っ張りに対して、樹脂のカバーを設けて、けがの防止を行う。
【００４０】
設置手段２４と支持手段１８が別々になっていたが、一体に形成しても良い。高さの調節は、地面に埋め込む深さによって調節する。また、一体に形成された部材の長さを複数用意することもできる。
【００４１】
主レール１２は、支持手段１８などによって、設置されるが、他の態様でもよい。図１１に示すように、箱４８の角に主レール１２を配置してもよい。箱４８の材質は、鉄、樹脂、木材など限定されない。箱４８の幅や高さは任意である。スノーボードの滑走方向は限定されない。支持手段１８などと異なり、箱４８を置くだけで設置できるため、設置が簡単である。また、滑走用レール１４だけを滑るのではないので、初心者でも簡単に滑走できる。
【００４２】
箱４８の両端の高さを変えたり、ひねったりしてもよい。箱４８を並べたとき、コースをカーブさせることができる。自由なコース設計が可能となる。
【００４３】
主レール１２を支持手段１８や設置手段２４なしに、直接ゲレンデに置いてもよい。初心者が初めに練習するためのコースとなる。また、主レール１２の高さを５０ｃｍ以上にすることによって、主レール１２だけで図１１とほぼ同じ構成になる。この場合の主レール１２は、図１，２，６などに示すように、円弧、楕円、多角形などの形状である。主レール１２が大きくなるため、初心者でも簡単に滑ることができる。また、主レール１２が大きくなっているため、滑走方向は限定されず、主レール１２を斜めに乗り越えたりすることも可能になる。この場合、主レール１２の一部（円弧状の場合、円弧の一端）を地面や圧雪した雪に埋めて、固定してもよいし、地面や圧雪した雪の上に直接置いてもよい。
【００４４】
スノーボード用レール１０は高さがあるため、滑走用レール１４に飛び乗るための台を設けてもよい。台の形状は、雪面からスノーボード用レール１０まで徐々に高くなるような形状である。
【００４５】
設置手段を地面に埋め込む以外に、圧雪した雪に埋め込んでもよい。雪深い場所で有効である。また、主レール１２に木材を用いてもよい。
【００４６】
その他、本発明は、主旨を逸脱しない範囲で当業者の知識に基づき種々なる改良、修正、変更を加えた態様で実施できるものである。
【００４７】
【発明の効果】
本発明に係るスノーボード用レールは、スノーボードが滑走する滑走用レールと、該滑走用レールを上縁に支える主レールとから構成されているので、この主レールを直接ゲレンデに置くだけで簡単にスノーボード用レールを構成することができ、コース設営を簡単に行なうことができる。
【００４８】
また、主レールを樹脂で形成したスノーボード用レールによれば、設置のための持ち運びが楽である。
【００４９】
また、主レールの上端以外にも滑走用レールを設けたスノーボード用レールによれば、主レールがカーブする位置でも、上端以外に設けられた滑走用レール上を滑走することができる。
【００５０】
また、主レールに溝が設けられ、その溝に滑走用レールがはめ込まれたスノーボード用レールによれば、主レールと滑走用レールとの間に段差が無く、スノーボードでスムーズに滑走できる。
【００５１】
また、主レールの高さを調節する手段を設けたスノーボード用レールによれば、スノーボード用レールのコース設計が自由に行える。
【図面の簡単な説明】
【図１】
本発明のスノーボード用レールの斜視図である。
【図２】
滑走用レールを複数設けた図である。
【図３】
スノーボード用レールに主レールを支持するための手段を設けた図である。
【図４】
設置手段の他の態様を示す図である。
【図５】
主レールを接続した場合の接続部分の図である。
【図６】
主レールの他の態様を示した図であり、（ａ）は楕円形であり、（ｂ）は多角形の主レールの図である。
【図７】
主レールの他の接続方法を示す図である。
【図８】
支持手段に角度を調節するための機構を設けた場合の図である。
【図９】
図８の殻部材をパイプ状体と一体に形成した場合の図である。
【図１０】
角度調節機構に円盤を用いた図であり、（ａ）は円盤を正面から見た図であり、（ｂ）は（ａ）の側面図である。
【図１１】
主レールの支持に箱を用いた図である。
【符号の説明】
１０：スノーボード用レール
１２：主レール
１４：滑走用レール
１６：溝
１８：支持手段
２０：コの字型の部材
２２，３８：パイプ状体
２４：設置手段
２６，２８：穴
３０：螺旋状体
３２：棒状体
３４：板状体
３６，４４，５２：ボルト
４０：ボール
４２：殻部材
４６，５１：ナット
４８：箱
５０：半円形状体